(57)【要約】【課題】送信側の無線局装置が、受信側の無線局装置において受信不可能な高速の無線伝送レートでパケットを送信するのを回避し、高いスループットと確実な送信を実現する。【解決手段】送信側の無線局装置から、所定の無線伝送レートを用いた受信側の無線局装置に対するパケット送信が複数回連続して失敗の場合に、所定の無線伝送レートよりも１段階低速な無線伝送レート時の受信信号強度値と、所定の無線伝送レートよりも１段階低速な無線伝送レートに対する受信電力の電力閾値とを比較し、受信信号強度値が、所定の無線伝送レートよりも１段階低速な無線伝送レートに対する受信電力の電力閾値以上の場合に、所定の無線伝送レートよりも１段階低速な無線伝送レートを受信側の無線局装置の最速の無線伝送レートと推定し、送信側の無線局装置から受信側の無線局装置に対して、前記最速な無線伝送レート以下の無線伝送レートでパケットを送信する。【選択図】図５
2009141909.tif 000002
【特許請求の範囲】
【請求項１】
複数の無線伝送レートをサポートする無線局装置のパケット送信方法であって、
送信側の無線局装置は、パケットを送信した後に、受信側の無線局装置からの確認応答信号を受信することによりパケット送信の成功／失敗を判断するとともに、当該確認応答信号の受信信号強度値を測定し、
前記送信側の無線局装置から、所定の無線伝送レートを用いた前記受信側の無線局装置に対するパケット送信が複数回連続して失敗した場合に、前記所定の無線伝送レートよりも１段階低速な無線伝送レート時の前記受信信号強度値と、前記所定の無線伝送レートよりも１段階低速な無線伝送レートに対する受信電力の電力閾値とを比較し、前記受信信号強度値が、前記所定の無線伝送レートよりも１段階低速な無線伝送レートに対する受信電力の電力閾値以上の場合に、前記所定の無線伝送レートよりも１段階低速な無線伝送レートを前記受信側の無線局装置の最速の無線伝送レートと推定し、
前記送信側の無線局装置から前記受信側の無線局装置に対して、前記最速な無線伝送レート以下の無線伝送レートでパケットを送信することを特徴とするパケット送信方法。
【請求項２】
複数の無線伝送レートをサポートする無線局装置のパケット送信方法であって、
送信側の無線局装置は、予め、受信側の無線局装置のＭＡＣアドレス、ＩＰアドレス、あるいは宛先／送信元ポート番号の固有情報に対応する最速の無線伝送レートを登録しておき、
前記受信側の無線局装置の固有情報に基づき、前記登録済みの前記受信側の無線局装置の最速の無線伝送レートを判断し、
前記送信側の無線局装置から前記受信側の無線局装置に対して、前記受信側の無線局装置の固有情報に対応する最速の無線伝送レート以下の無線伝送レートでパケットを送信することを特徴とするパケット送信方法。
【請求項３】
前記送信側の無線局装置は、受信側の無線局装置に対してパケットを送信する際に、前記受信側の無線局装置に対するパケット送信が複数回連続して成功の場合に、前回送信した無線伝送レートよりも１段階高速な無線伝送レートを使用してパケットを送信し、あるいは、前記受信側の無線局装置に対するパケット送信が複数回連続して失敗の場合に、前回送信した無線伝送レートよりも１段階低速な無線伝送レートを使用してパケットを送信するステップを、最低速な無線伝送レートから始めて繰り替えして実行することを特徴とする請求項１または請求項２に記載のパケット送信方法。
【請求項４】
複数の無線伝送レートをサポートする無線局装置であって、
伝送レート推定部と、
伝送レート制御部と、
受信側の無線局装置に対して、前記伝送レート制御部から通知された無線伝送レートでパケットを送信し、当該パケットを送信した後に、前記受信側の無線局装置からの確認応答信号を受信し、当該確認応答信号の受信信号強度値を測定する無線インターフェースとを有し、
前記伝送レート推定部は、無線伝送レートに対する受信電力の電力閾値を記憶する受信電力・無線伝送レート対応表と、
前記無線インターフェースから前記確認応答信号の有無を受け取り、前記受信側の無線局装置に対するパケット送信の成功／失敗を判定する送信成功／失敗判定部と、
前記無線インターフェースから前記確認応答信号の受信信号強度値を受け取り記憶するとともに、前記送信成功／失敗判定部において、所定の無線伝送レートを用いた前記受信側の無線局装置に対するパケット送信が複数回連続して失敗と判断された場合に、前記受信電力・無線伝送レート対応表を参照して、前記所定の無線伝送レートよりも１段階低速な無線伝送レート時の前記受信信号強度値と、前記所定の無線伝送レートよりも１段階低速な無線伝送レートに対する受信電力の電力閾値とを比較する電力閾値判定部とを有し、
前記伝送レート推定部は、前記送信成功／失敗判定部において、前記所定の無線伝送レートを用いた前記受信側の無線局装置に対するパケット送信が複数回連続して失敗と判断された場合で、前記電力閾値判定部において、前記所定の無線伝送レートよりも１段階低速な無線伝送レート時の前記受信信号強度値が、前記所定の無線伝送レートよりも１段階低速な無線伝送レートに対する受信電力の電力閾値以上の場合に、前記所定の無線伝送レートよりも１段階低速な無線伝送レートを、前記受信側の無線局装置の最速の無線伝送レートと推定して、前記伝送レート制御部に通知し、
前記伝送レート制御部は、前記最速の無線伝送レート以下の無線伝送レートを、前記受信側の無線局装置に対する無線伝送レートして前記無線インターフェースに通知することを特徴とする無線局装置。
【請求項５】
複数の無線伝送レートをサポートする無線局装置であって、
伝送レート推定部と、
伝送レート制御部と、
前記受信側の無線局装置に対して、前記伝送レート制御部から通知された無線伝送レートでパケットを送信し、当該パケットを送信した後に、前記受信側の無線局装置からの確認応答信号を受信する無線インターフェースとを有し、
前記伝送レート推定部は、前記受信側の無線局装置のＭＡＣアドレス、ＩＰアドレス、あるいは宛先／送信元ポート番号の固有情報に対応する最速の無線伝送レートを登録してした固有情報・無線伝送レート対応表と、
前記無線インターフェースから前記確認応答信号の有無を受け取り、前記受信側の無線局装置に対するパケット送信の成功／失敗を判定する送信成功／失敗判定部とを有し、
前記伝送レート推定部は、前記受信側の無線局装置の固有情報に基づき、前記登録済みの前記受信側の無線局装置の最速の無線伝送レートを前記伝送レート制御部に通知し、
前記伝送レート制御部は、前記最速の無線伝送レート以下の無線伝送レートを、前記受信側の無線局装置に対する無線伝送レートして前記無線インターフェースに通知することを特徴とする無線局装置。
【請求項６】
前記伝送レート推定部は、前記送信成功／失敗判定部において、ある無線伝送レートを用いた前記受信側の無線局装置に対するパケット送信が複数回連続して成功した場合に、受信側の無線局装置に対する無線伝送レートを１段階高速な無線伝送レートに変更し、あるいは、前記送信成功／失敗判定部において、ある無線伝送レートを用いた前記受信側の無線局装置に対するパケット送信が複数回連続して失敗と判断された場合に、受信側の無線局装置に対する無線伝送レートを１段階低速な無線伝送レートに変更して、前記変更した無線伝送レートを前記伝送レート制御部に通知し、
前記伝送レート制御部は、最初のパケット送信の無線伝送レートとして、最低速な無線伝送レートを、その後は、前記伝送レート推定部から通知された無線伝送レートで前記最速の無線伝送レート以下の無線伝送レートを、前記受信側の無線局装置に対する無線伝送レートして前記無線インターフェースに通知することを特徴とする請求項４または請求項５に記載の無線局装置。
【発明の詳細な説明】
【技術分野】
【０００１】
本発明は、パケット送信方法および無線局装置に係り、特に、無線ＬＡＮシステムがサポートする複数の無線伝送レートの中から、パケット送信を行う無線局装置が、受信側の無線局装置が受信可能な最速の無線伝送レートを推定する技術に関する。
【背景技術】
【０００２】
従来、無線ＬＡＮ装置は、IEEE802.11規格（下記、非持許文献１）に基づいたものである。IEEE802.11規格では、「9.6 Multirate support」にマルチ無線伝送レートの選択（切替）に関して「The algorithm for performing rate switching is beyond the scope of this standard」とされていることから、市販されている無線ＬＡＮ装置では、自由な実装がなされている。
そこで、一般的には無線伝送レートの切替では、図１に示すような方法を用いることが多い。図１は、従来の送信側の無線局装置のパケット送信方法を説明するための図である。
送信側の無線局装置と、受信側の無線局装置とがパケットの送受信を行っており、送信側の無線局装置から送信したパケットの受信を、受信側の無線局装置で成功した場合、受信側の無線局装置から送信側の無線局装置に対してＡｃｋフレーム（確認応答信号）が返信され、受信失敗した場合にはＡｃｋフレームは返信されない。これにより、送信側の無線局装置は、送信パケットの成功／失敗を判断する。
図１に示す例では、送信側の無線局装置と受信側の無線局装置とは、複数の無線伝送レート、Ｒ０、Ｒ１、Ｒ２、Ｒ３（無線伝送レートの速度：Ｒ３＜Ｒ２＜Ｒ１＜Ｒ０）をサポートしているものとする。
送信側の無線局装置が送信するパケットＤ１からパケットＤ３までは、無線伝送レート（Ｒ２）で送信し、連続して成功している。従って、次のパケットＤ４は、無線伝送レート（Ｒ２）より高速な無線伝送レート（Ｒ１）で送信されている。
【０００３】
これは、パケットＤ１からパケットＤ３までの送信を連続（ここでは、３回）して成功したため、より高速な無線伝送レートで送信することにより、高いパフォーマンス（スループット）を図るためである。送信が成功する限り、最速の無線伝送レート（Ｒ０）まで無線伝送レートを上げる。
次に、送信側の無線局装置は、受信側の無線局装置へ、無線伝送レート（Ｒ１）を用いてパケットＤ４からパケットＤ６まで送信するが、送信を連続して失敗しているため、次のパケットＤ７からは、無線伝送レート（Ｒ１）より低速な無線伝送レート（Ｒ２）で送信している。これは、パケットＤ４からパケットＤ６までの送信を連続で失敗したため、パケットをより低速な無線伝送レートで確実な送信を図るためである。送信が失敗する限り、最低速の無線伝送レート（Ｒ３）まで無線伝送レートを下げる。
このように、従来の無線伝送レート切替においては、パケットを送信する送信側の無線局装置が、パケットを送信する際に随時、高速な無線伝送レートへの変更を試みることによって、宛先の無線局装置が受信可能な無線伝送レートを判断していた。
【０００４】
図２は、従来の送信側の無線局装置におけるパケット送信方法の処理手順を示すフローチャートである。
始めに、デフォルトの送信レート（Ｒ）／前回送信した無線伝送レート（Ｒ）でパケットを送信し（ステップ１０１）、パケット送信が成功したか否かを判断する（ステップ１０２）。
ステップ１０２でＹｅｓの場合、パケット送信が所定回数連続して成功したか否かを判断する（ステップ１０３）。ステップ１０３でＮｏの場合、ステップ１０１に戻り、再度ステップ１０１からの処理を実行する。
ステップ１０３でＹｅｓの場合、無線伝送レート（Ｒ）が、最速の無線伝送レート（Ｒ０）以下で、かつ、前回送信した無線伝送レート（Ｒ）よりも１段階高速な無線伝送レート（Ｒ）でパケットを送信し、ステップ１０２に戻り、再度ステップ１０２からの処理を実行する。
ステップ１０２でＮｏの場合、パケット送信が所定回数連続して失敗したか否かを判断する（ステップ１０５）。ステップ１０５でＮｏの場合、ステップ１０１に戻り、再度ステップ１０１からの処理を実行する。
ステップ１０５でＹｅｓの場合、無線伝送レート（Ｒ）が、最低の無線伝送レート（Ｒ３）以上で、かつ、前回送信した無線伝送レート（Ｒ）よりも１段階低速な無線伝送レート（Ｒ）でパケットを送信し、ステップ１０２に戻り、再度ステップ１０２からの処理を実行する。
【０００５】
なお、本願発明に関連する先行技術文献としては以下のものがある。
【非特許文献１】IEEE802.11規格「9.6 Multirate support」
【発明の開示】
【発明が解決しようとする課題】
【０００６】
しかし、従来の方法では、受信側の無線局装置が高速な無線伝送レートをサポートしていない場合（例えば、Ｒ０、Ｒ１は未サポート）には、送信側の無線局装置は、何度も高速な無線伝送レートで送信することを試み、その都度、パケット送信の失敗を繰り返す。すなわち、送信側の無線局装置から受信側の無線局装置に対する、Ｒ０、Ｒ１の無線伝送レートでの送信は失敗となる。
送信失敗のパケットは無用に無線帯域を占有し、更には高いパフォーマンス（スループット）と確実な送信が得られない。
本発明は、前記従来技術の問題点を解決するためになされたものであり、本発明の目的は、送信側の無線局装置が、受信側の無線局装置において受信不可能な高速の無線伝送レートでパケットを送信するのを回避し、高いスループットと確実な送信を実現することが可能とする技術を提供することにある。
本発明の前記ならびにその他の目的と新規な特徴は、本明細書の記述及び添付図面によって明らかにする。
【課題を解決するための手段】
【０００７】
本願において開示される発明のうち、代表的なものの概要を簡単に説明すれば、下記の通りである。
（１）複数の無線伝送レートをサポートする無線局装置のパケット送信方法であって、送信側の無線局装置は、パケットを送信した後に、受信側の無線局装置からの確認応答信号を受信することによりパケット送信の成功／失敗を判断するとともに、当該確認応答信号の受信信号強度値を測定し、前記送信側の無線局装置から、所定の無線伝送レートを用いた前記受信側の無線局装置に対するパケット送信が複数回連続して失敗した場合に、前記所定の無線伝送レートよりも１段階低速な無線伝送レート時の前記受信信号強度値と、前記所定の無線伝送レートよりも１段階低速な無線伝送レートに対する受信電力の電力閾値とを比較し、前記受信信号強度値が、前記所定の無線伝送レートよりも１段階低速な無線伝送レートに対する受信電力の電力閾値以上の場合に、前記所定の無線伝送レートよりも１段階低速な無線伝送レートを前記受信側の無線局装置の最速の無線伝送レートと推定し、前記送信側の無線局装置から前記受信側の無線局装置に対して、前記最速な無線伝送レート以下の無線伝送レートでパケットを送信する。
【０００８】
（２）複数の無線伝送レートをサポートする無線局装置のパケット送信方法であって、送信側の無線局装置は、予め、受信側の無線局装置のＭＡＣアドレス、ＩＰアドレス、あるいは宛先／送信元ポート番号の固有情報に対応する最速の無線伝送レートを登録しておき、前記受信側の無線局装置の固有情報に基づき、前記登録済みの前記受信側の無線局装置の最速の無線伝送レートを判断し、前記送信側の無線局装置から前記受信側の無線局装置に対して、前記受信側の無線局装置の固有情報に対応する最速の無線伝送レート以下の無線伝送レートでパケットを送信する。
（３）（１）または（２）において、前記送信側の無線局装置は、受信側の無線局装置に対してパケットを送信する際に、前記受信側の無線局装置に対するパケット送信が複数回連続して成功の場合に、前回の送信した無線伝送レートよりも１段階高速な無線伝送レートを使用してパケットを送信し、あるいは、前記受信側の無線局装置に対するパケット送信が複数回連続して失敗の場合に、前回の送信した無線伝送レートよりも１段階低速な無線伝送レートを使用してパケットを送信するステップを、最低速な無線伝送レートから始めて繰り替えして実行する。
（４）（１）ないし（３）のいずれか１項に記載のパケット送信方法を実行する無線局装置である。
【発明の効果】
【０００９】
本願において開示される発明のうち代表的なものによって得られる効果を簡単に説明すれば、下記の通りである。
本発明によれば、送信側の無線局装置が、受信側の無線局装置において受信不可能な高速の無線伝送レートでパケットを送信するのを回避し、高いスループットと確実な送信を実現することが可能となる。
【発明を実施するための最良の形態】
【００１０】
以下、図面を参照して本発明の実施例を詳細に説明する。
なお、実施例を説明するための全図において、同一機能を有するものは同一符号を付け、その繰り返しの説明は省略する。
図３は、本発明のパケット送信方法が適用される無線ＬＡＮシステムの概略構成を示すブロック図である。
図３において、１−２はアクセスポイント（以下、ＡＰという）、１−１は無線端末（以下、ＳＴＡという）、１−３はＩＰネットワークである。
ＡＰ（１−２）は、複数のＳＴＡ（１−１）を無線ＬＡＮで収容し、複数のＳＴＡ（１−１）をＩＰネットワーク（１−３）に接続する。ＡＰ（１−２）は、有線ネットワークインターフェース１０と、伝送レート推定部１２と、伝送レート制御部１３と、無線インターフェース１１とで構成される。
有線ネットワークインターフェース１０は、ＩＰネットワーク（１−３）と無線ＬＡＮ間で送受信されるパケットの転送を行う。
伝送レート推定部１２と伝送レート制御部１３は、無線インターフェース１１から無線伝送レートを推定するための情報（ＲＳＳＩ値、パケット送信の成功／失敗）を取得し、宛先のＳＴＡ（１−１）が受信可能な最速の無線伝送レートを推定し、当該推定された無線伝送レート以下に無線伝送レートを制御する。
無線インターフェース１１は、無線区間でのパケットの送受信を行うとともに、ＳＴＡ（１−１）からのＡｃｋフレーム（確認応答信号）を受信するとともに、当該ＡｃｋフレームのＲＳＳＩ（Receive Signal Strength Indication）値を測定する。また、無線インターフェース１１は、Ａｃｋフレームの有無と、ＡｃｋフレームのＲＳＳＩ値を伝送レート推定部１２へ通知する。
【００１１】
図４は、図１に示すＡＰ（１−２）の伝送レート推定部１２と伝送レート制御部１３の構成を示すブロック図である。
図４に示すように、伝送レート推定部１２は、送信成功／失敗判定部（１２−１）と、ＲＳＳＩ閾値判定部（１２−２）と、受信電力・無線伝送レート対応表（１２−３）とを有する。
送信成功／失敗判定部（１２−１）は、宛先のＳＴＡ（１−１）毎に無線インターフェース１１からＡｃｋフレームの有無を取得し、パケット送信の成功／失敗を判定する。
ＲＳＳＩ・伝送レート閾値判定部（１２−２）は、パケット送信成功時には宛先のＳＴＡ（１−１）毎に無線インターフェース１１からＡｃｋフレームのＲＳＳＩ値を取得し記憶する。また、パケット送信失敗時には、受信電力・無線伝送レート対応表（１２−３）を参照し、前回パケット送信が成功した無線伝送レートに対する受信電力の電力閾値と、前回パケット送信が成功し、記憶しているＡｃｋフレームのＲＳＳＩ値を比較する。
伝送レート推定部１２は、送信成功／失敗判定部（１２−１）での判定結果と、ＲＳＳＩ・伝送レート閾値判定部（１２−２）での判定結果に基づき、パケット送信が失敗し、パケット送信が成功した前回の無線伝送レート時のＡｃｋフレームのＲＳＳＩ値が、電力閾値以上の場合には、パケット送信が成功した前回の無線伝送レートをＳＴＡ（１−１）が受信可能な最速の無線伝送レート（Ｒｍａｘ）と推定し、伝送レート制御部１３へ通知する。但し、最低速無線伝送レートで送信が失敗した場合には、最低速無線伝送レートを通知する。
伝送レート制御部１３は、ＡＰ（１−２）にＳＴＡ（１−１）の接続が完了した後、接続後の最初のＳＴＡ（１−１）宛のパケット送信は、最低速な無線伝送レートから順次高速な無線伝送レートへ無線伝送レートを変更するように制御する。但し、伝送レート推定部１３より、Ｒｍａｘが通知された場合には、通知されたＲｍａｘ以下でパケットを送信するように制御を行う。
【００１２】
本実施例において、受信可能な最速の無線伝送レート（Ｒｍａｘ）の推定には、低速な無線伝送レートから順次パケットの送信を行い、パケット送信が成功したか否かを判定する。また、事前にＡｃｋフレームから受信信号強度（ＲＳＳＩ値）を取得する。
パケット送信が失敗した場合には、受信電力・無線伝送レート対応表（１２−３）を参照し、パケット送信が成功した前回の無線伝送レート時のＡｃｋフレームのＲＳＳＩ値が、パケット送信が成功した前回の無線伝送レートに対応する受信電力の電力閾値以上の値である場合には、パケット送信が成功した前回の無線伝送レートを宛先のＳＴＡ（１−１）が受信可能な最速の無線伝送レートと推定する。
図５は、本発明の実施例のＡＰ（１−２）のパケット送信方法を説明するための図である。ここで、ＡＰ（１−２）は、複数の無線伝送レート、Ｒ０、Ｒ１、Ｒ２、Ｒ３（無線伝送レートの速度：Ｒ３＜Ｒ２＜Ｒ１＜Ｒ０）をサポートしているものとする。
パケット送信の開始（接続）後のＳＴＡ（１−１）に対する最初のパケットは、最低速の無線伝送レート（Ｒ３）で送信する。送信成功時には、宛先ＳＴＡ（１−１）からのＡｃｋフレームのＲＳＳＩ値を取得し、記憶する。
例えば、図５の無線伝送レート（Ｒ１）のように、パケット送信が連続で失敗した場合には、ＡＰ（１−２）は、受信電力・無線伝送レート対応表（１２−３）を参照し、無線伝送レート（Ｒ２）でパケット送信時のＡｃｋフレームのＲＳＳＩ値が、無線伝送レート（Ｒ２）に対応する受信電力の電力閾値以上の値である場合には、無線伝送路に障害などが発生していないものと判断し、無線伝送レート（Ｒ２）を宛先のＳＴＡ（１−１）が受信可能な最速の無線伝送レートと推定する。
【００１３】
図６は、本発明の実施例のＡＰ（１−２）におけるパケット送信方法の処理手順を示すフローチャートである。
始めに、前回送信した無線伝送レート（Ｒ）でパケットを送信し（ステップ１１１）、パケットの送信が成功したか否かを判断する（ステップ１１２）。但し、ステップ１１１において、最初のパケット送信は最低速の無線伝送レート（Ｒ３）で行う。
ステップ１１２でＹｅｓ場合、パケットの送信が所定回数連続して成功したか否かを判断する（ステップ１１３）。ステップ１１３でＮｏの場合、ステップ１１１に戻り、再度ステップ１１１からの処理を実行する。
ステップ１１３でＹｅｓの場合、Ｒｍａｘが推定されているかどうかを判断する（ステップ１１４）。ステップ１１４でＮｏの場合には、前回送信した無線伝送レートより１段階高速な無線伝送レートでパケットを送信し（ステップ１１５）、ステップ１１２に戻り、再度ステップ１１２からの処理を実行する。但し、前回送信した無線伝送レートが最高速の無線伝送レート（Ｒ０）の場合には、最高速の無線伝送レート（Ｒ０）でパケットを送信する。
ステップ１１４でＹｅｓの場合には、前回送信した無線伝送レートより１段階高速な無線伝送レートでパケットを送信し（ステップ１１６）、ステップ１１２に戻り、再度ステップ１１２からの処理を実行する。但し、前回送信した無線伝送レートがＲｍａｘの場合には、Ｒｍａｘでパケットを送信する。
【００１４】
ステップ１１２でＮｏの場合、パケット送信が所定回数連続して失敗したか否かを判断する（ステップ１１７）。ステップ１１７でＮｏの場合、ステップ１１１に戻り、再度ステップ１１１からの処理を実行する。
ステップ１１７でＹｅｓの場合、Ｒｍａｘが推定されているかどうかを判断する（ステップ１１８）。ステップ１１８でＮｏの場合には、受信電力・無線伝送レート対応表（１２−３）を参照し（ステップ１１９）、前回送信した無線伝送レートでのパケット送信時のＡｃｋフレームのＲＳＳＩ値が、前回送信した無線伝送レートに対応する受信電力の電力閾値以上であるか否かを判断する（ステップ１２０）。
ステップ１２０でＹｅｓの場合、前回送信した無線伝送レートより１段階低速な無線伝送レートをＲｍａｘとし（ステップ１２１）、前回送信した無線伝送レートより１段階低速な無線伝送レートでパケットを送信し（ステップ１２２）、ステップ１１２に戻り、再度ステップ１１２からの処理を実行する。但し、前回送信した無線伝送レートが最低速の無線伝送レート（Ｒ３）の場合には、最低速の無線伝送レート（Ｒ３）でパケットを送信する。
ステップ１１８でＹｅｓの場合、および、ステップ１２０でＮｏの場合にも、ステップ１２２に進む。
【００１５】
前述したように、本実施例では、低い無線伝送レートから順番に高い無線伝送レートのパケットを送信し、宛先ＳＴＡ（１−１）が受信可能な最速の無線伝送レート（Ｒｍａｘ）を推定する。その後、推定したＲｍａｘ以下でパケットを送信する。また、Ｒｍａｘ推定後は、最速の無線伝送レートを超えない範囲で、従来の無線伝送レート切替方法を行う。
なお、前述した最速の無線伝送レートの推定には、ＡＰ（１−２）は、予め、宛先ＳＴＡ（１−１）のＭＡＣアドレス、ＩＰアドレス、あるいは宛先／送信元ポート番号などの固有の情報と、これらに対応する無線伝送レートを固有情報・無線伝送レート対応表に登録しておき、当該対応する無線伝送レート以下でパケットを送信するようにしてもよい。
以上説明したように、本実施例では、受信可能である無線伝送レート（サポートされている無線伝送レート）が不明なＳＴＡ（１−１）に対して、パケットを送信するＡＰ（１−２）は、サポートされている最速の無線伝送レートを推定し送信することができ、未サポートの高速な無線伝送レート切替による送信失敗を回避することが可能となる。
これにより、送信失敗のパケットによって無用に無線帯域を占有することを低減し、高いパフォーマンス（スループット）と確実な送信を行うことが期待できる。
以上、本発明者によってなされた発明を、前記実施例に基づき具体的に説明したが、本
発明は、前記実施例に限定されるものではなく、その要旨を逸脱しない範囲において種々変更可能であることは勿論である。
【図面の簡単な説明】
【００１６】
【図１】従来の無線局装置のパケット送信方法を説明するための図である。
【図２】従来の無線局装置におけるパケット送信方法の処理手順を示すフローチャートである。
【図３】本発明のパケット送信方法が適用される無線ＬＡＮシステムの概略構成を示すブロック図である。
【図４】図１に示す無線局装置（ＡＰ）の伝送レート推定部と伝送レート制御部の構成を示すブロック図である。
【図５】本発明の実施例の無線局装置（ＡＰ）のパケット送信方法を説明するための図である。
【図６】本発明の実施例の無線局装置（ＡＰ）におけるパケット送信方法の処理手順を示すフローチャートである。
【符号の説明】
【００１７】
１−１  無線端末（ＳＴＡ）
１−２  アクセスポイント（ＡＰ）
１−３  ＩＰネットワーク
１０  有線ネットワークインターフェース
１１  無線インターフェース
１２  伝送レート推定部
１２−１  送信成功／失敗判定部
１２−２  ＲＳＳＩ・伝送レート閾値判定部
１２−３  受信電力・無線伝送レート対応表
１３  伝送レート制御部
【図１】
2009141909.tif 000003
【図２】
2009141909.tif 000004
【図３】
2009141909.tif 000005
【図４】
2009141909.tif 000006
【図５】
2009141909.tif 000007
【図６】
2009141909.tif 000008